【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
媒体に記録を行う記録部を収容する筐体と、  前記記録部により記録された媒体を湾曲反転させて媒体を前記記録部より上側の位置に案内する排出経路と、  前記記録部の上部に位置するとともに水平方向において前記筐体と重なる位置に設けられ、前記排出経路を経由して排出される媒体を受ける媒体受けトレイと、  前記媒体受けトレイの上部に位置するとともに水平方向において前記筐体と重なる位置に設けられ、前記排出経路を経由して搬送される媒体を水平方向における前記筐体の領域外に送る中継部と、  前記排出経路から先の媒体の進路を前記媒体受けトレイ及び前記中継部の一方から他方及び他方から一方に切り換える進路切り換え手段と、を備えた記録装置。
【請求項２】
請求項１に記載の記録装置において、前記中継部は、前記排出経路から先の媒体排出口より下流側に位置し、  前記進路切り換え手段は、前記中継部に設けられ、前記媒体排出口から排出される媒体を前記中継部内に進ませるか前記媒体受けトレイに進ませるかを切り換える、ことを特徴とする記録装置。
【請求項３】
請求項１に記載の記録装置において、前記進路切り換え手段は、前記排出経路から先の媒体排出口より上流側に設けられ、前記排出経路から抜けた媒体を前記媒体排出口を経由させないで前記中継部に進ませるか前記媒体排出口を経由させて前記媒体受けトレイに進ませるかを切り換える、ことを特徴とする記録装置。
【請求項４】
請求項１に記載の記録装置において、前記中継部は、前記進路切り換え手段と、  前記排出経路を経由して送られる媒体を受け入れる受け入れ口と、  媒体を前記媒体受けトレイに向けて排出する媒体排出口と、を備え、  前記進路切り換え手段が、前記受け入れ口から受け入れられた媒体を前記筐体の領域外に進ませるか前記媒体排出口を経由させて前記媒体受けトレイに進ませるかを切り換える、ことを特徴とする記録装置。
【請求項５】
請求項２に記載の記録装置において、前記媒体排出口の上流側に、媒体搬送方向と交差する方向である媒体幅方向における媒体の少なくとも一部と当接して前記媒体幅方向に湾曲する湾曲部を媒体に形成する当接部を有し、  前記当接部は、前記進路切り換え手段が媒体を前記媒体受けトレイに進ませる際には媒体と当接する第１状態をとり、前記進路切り換え手段が媒体を前記中継部に進ませる際には媒体と当接しない第２状態をとる、ことを特徴とする記録装置。
【請求項６】
請求項２または請求項５に記載の記録装置において、前記媒体排出口から排出される媒体に対して送風するファンを備え、  前記ファンは、前記進路切り換え手段が媒体の進路を前記媒体受けトレイ行きに切り換えた状態では送風方向を前記媒体受けトレイに向け、  前記進路切り換え手段が媒体の進路を前記中継部行きに切り換えた状態では送風方向を媒体の進行方向に沿った方向に向ける、ことを特徴とする記録装置。
【請求項７】
請求項１から請求項６のいずれか一項に記載の記録装置において、前記中継部は、受け入れた媒体を前記筐体の領域外に排出する第１排出口と、  受け入れた媒体を前記媒体受けトレイの下流側から上流に向けて排出する為の第２排出口と、  媒体の進路を前記第１排出口及び前記第２排出口の一方から他方及び他方から一方に切り換える排出方向切り換え手段と、を備える、ことを特徴とする記録装置。
【請求項８】
請求項７に記載の記録装置において、前記中継部は、前記第２排出口から排出される媒体の面を反転させて前記媒体受けトレイに案内するガイド部材を備える、ことを特徴とする記録装置。
【請求項９】
請求項１から請求項８のいずれか一項に記載の記録装置において、前記中継部は、受け入れた媒体を前記筐体の領域外に排出する排出経路を複数備えるとともに、受け入れた媒体を複数の前記排出経路のうちいずれかに選択的に切り換える排出経路切り換え手段を備える、ことを特徴とする記録装置。
【請求項１０】
請求項１から請求項９のいずれか一項に記載の記録装置において、前記中継部は、前記記録装置に隣接して設けられる後処理装置に向けて媒体を排出する、ことを特徴とする記録装置。
【請求項１１】
媒体に記録を行う記録部を収容する筐体と、  前記記録部により記録された媒体を湾曲反転させて媒体を前記記録部より上側の位置に案内する排出経路と、  前記記録部の上部に位置するとともに水平方向において前記筐体と重なる位置に設けられ、前記排出経路を経由して排出される媒体を受ける媒体受けトレイと、を備える記録装置に対して前記媒体受けトレイの上部に設けられ、前記排出経路を経由して搬送される媒体を水平方向における前記筐体の領域外に送る中継装置であって、  前記排出経路から先の媒体の進路を前記媒体受けトレイ及び前記中継装置内の一方から他方及び他方から一方に切り換える進路切り換え手段を備える、ことを特徴とする中継装置。
【手続補正２】
【補正対象書類名】明細書
【補正対象項目名】００６４
【補正方法】変更
【補正の内容】
【００６４】  一方、図６において搬送路９６において第２排出口１００に対応する位置まで搬送ローラー対７１により媒体Ｐが搬送された際、進路切り換え手段１０２が搬送路９６を遮って第２排出口１００を開口する姿勢を取っていると、媒体Ｐは進路切り換え手段１０２により第２排出口１００に案内される。第２排出口１００から排出された媒体Ｐは、ガイド部材１０４の湾曲したガイド面１０４ａにより湾曲反転させられ、媒体受けトレイ６６に対して下流側から上流側に向かって排出される。媒体受けトレイ６６において媒体Ｐは最後にラインヘッド３８と対向した記録面を上向き（フェイスアップ状態）として載置される。
【手続補正３】
【補正対象書類名】明細書
【補正対象項目名】００６７
【補正方法】変更
【補正の内容】
【００６７】  尚、第４の実施例の構成は、第２の実施例においても適用可能である。具体的には、搬送路８０において、媒体受けトレイ６６に対して−Ｙ軸方向の位置で第２排出口１００を設け、進路切り換え手段１０２及びガイド部材１０４により媒体Ｐを媒体受けトレイ６６に向けて送り出す。これにより、媒体受けトレイ６６に向けて送り出された媒体Ｐは最後にラインヘッド３８と対向した記録面を上向き（フェイスアップ状態）にして媒体受けトレイ６６に載置される。    同様に、第４の実施例の構成は、第３の実施例においても適用可能であり、搬送路９２に第２排出口１００を設け、進路切り換え手段１０２及びガイド部材１０４により媒体Ｐを媒体受けトレイ６６に向けて送り出すように構成することができる。このように構成することにより中継部８４においても、媒体受けトレイ６６に媒体Ｐをフェイスアップ状態で載置することができる。
【手続補正４】
【補正対象書類名】明細書
【補正対象項目名】００６９
【補正方法】変更
【補正の内容】
【００６９】  中継部１０６は、進路切り換え手段１０８と、排出経路切り換え手段１１０と、第１排出経路１１２と、第２排出経路１１４と、搬送ローラー対７１と、ファン７２とを備えている。進路切り換え手段１０８は、中継部１０６において排出口５６寄りに配置されており、排出口５６から排出された媒体Ｐを中継部１０６内に案内する姿勢（図７実線部）と、排出口５６から排出された媒体Ｐを媒体受けトレイ６６に案内する姿勢（符号１０８−１が付された破線部）とを切り換えることができる。進路切り換え手段１０８は、一例としてフラップ状に形成されており、制御部５２により姿勢が切り換えられるように構成されている。